(57)【要約】      （修正有） 【課題】金属製固定面等に磁力固定した状態で簡便にテープを交換することができ、テープの交換の際にテープカッターが磁力固定面から外れて脱落したり磁力固定面上で動いてしまうことがなく、且つ、低コストに製造することができるテープカッターを提供する。【解決手段】粘着テープ体保持部１３と、粘着テープを切断しうる切断部１４と、裏面部１５に磁石部とを備えたテープカッター１０であって、粘着テープ体保持部１３は全体略横長直方体状に形成され、粘着テープ体１２の回転軸方向に外部に開放されて形成され、粘着テープ体１２を回転可能に収納しうる収納空隙部１７と、収納空隙部１７内に配置され粘着テープ体１２の芯部１１に着脱可能に挿通される軸部１８とを有する粘着テープ体保持部本体１９と、収納空隙部１７及び軸部１８先端部２０を粘着テープ体保持部本体１９の長さ方向に沿ってスライド可能に被覆しうるカバー部材２１とを備えている。【選択図】図１
0003201076.tif 000002
【実用新案登録請求の範囲】
【請求項１】
芯部に捲装され全体リング状に形成された粘着テープ体を回転可能に保持する粘着テープ体保持部と、前記粘着テープ体保持部に連設されて、粘着テープ体から引き出された粘着テープを適宜の長さ寸法に切断しうる切断部と、前記粘着テープ体保持部の裏面部に設けられた磁石部とを備えたテープカッターであって、
前記粘着テープ体保持部は全体略横長直方体状に形成され、前記粘着テープ体の回転軸方向に外部に開放されて形成され、粘着テープ体を回転可能に収納しうる収納空隙部と、前記収納空隙部内に配置され前記粘着テープ体の前記芯部に着脱可能に挿通される軸部とを有する粘着テープ体保持部本体と、前記収納空隙部及び前記軸部先端部を前記粘着テープ体保持部本体の長さ方向に沿ってスライド可能に被覆しうるカバー部材とを備えていることを特徴とするテープカッター。
【請求項２】
前記磁石部は、前記粘着テープ体保持部の裏面部に長さ方向に沿って設けられており、前記粘着テープ体保持部は、前記粘着テープ体保持部の長さ方向一端部側には前記収納空隙部が設けられると共に他端部側には前記切断部が設けられ、前記収納空隙部の幅方向一端部は側面部により閉塞されると共に前記収納空隙部の幅方向他端部は開放されて形成され、前記軸部は前記側面部から前記収納空隙部の幅方向他端部側へ突設されて設けられており、前記カバー部材は、前記粘着テープ体を前記収納空隙部内に、前記軸部に挿通して収納した場合には、幅方向他端部を閉塞するように前記粘着テープ体保持部本体に着脱可能に固定されることを特徴とする請求項１記載のテープカッター。
【請求項３】
前記軸部の外径寸法は前記粘着テープ体の芯部の内径寸法よりも小さく形成されていることを特徴とする請求項２記載のテープカッター。
【請求項４】
前記カバー部材は平面略Ｕ字状に形成され、前記粘着テープ体保持部本体の長さ方向における反切断部側端部側から前記粘着テープ体保持部本体の長さ方向に沿って装着固定されることを特徴とする請求項３記載のテープカッター。
【請求項５】
前記カバー部材は前記粘着テープ体保持部本体の反切断部側端部に当接して被覆する幅方向カバー部と、前記幅方向カバー部の両端部から延設されて前記側面部と前記収納空隙部の幅方向他端部及び前記軸部の先端部を夫々被覆しうる一対の長さ方向カバー部とにより構成されていることを特徴とする請求項４記載のテープカッター。
【請求項６】
前記粘着テープ体保持部本体の長さ方向側面部には、前記長さ方向側面部から外方に向って突出し前記粘着テープ体保持部本体の長さ方向に沿って直線状に形成されたスライド突起部が設けられており、前記長さ方向カバー部には、前記スライド突起部と係合するスライド溝部が設けられていることを特徴とする請求項５記載のテープカッター。
【考案の詳細な説明】
【技術分野】
【０００１】
本考案は、底部に磁石を備えたテープカッターの改良に関する。
【背景技術】
【０００２】
従来より、円筒形状の芯に巻回されたテープを回転可能に保持することができ、且つカッターを備えたテープカッターが用いられており、このようなテープカッターは、利用者がテープの端部を把持して適宜の長さ分引き出してカッターで切断することにより、テープを容易に使用することができる。
【０００３】
一方で、テープは袋物の口部に封をする際など、様々な場面で使用されるため、使用場所は事務用デスクに限られない。例えば台所で使用される際には、テープカッターを持ち運び使用する必要があり作業が煩雑である。
【０００４】
そこで、底部に磁石を配し、台所に備えられている冷蔵庫のドアなどに磁力固定させておくことができるテープカッターが望まれていた。また、冷蔵庫ドアのような垂直の固定面に設置する場合にも、テープの交換作業が容易にできるテープカッターが望まれていた。
【０００５】
磁力固定させておくことができるテープカッターとしては、特許文献１のテープカッターが提案されている。特許文献１のテープカッターは、ベースの一側に磁石が配されており、一側を金属製の部材に磁力固定させておくことができる。他側にはテープを保持することができるように構成されている。
【０００６】
特許文献１のテープカッターは、テープを、ベースの他側より突出形成されたテープ固定柱片に挿通して、開放端部を外れ止め部により閉塞することにより固定されている。
【０００７】
テープ交換の際には、外れ止め部を着脱する必要があるが、その方法については複数のパターンが記載されている。１つめはナットによって固定する方法であるが都度回転させて締め付ける必要があり作業が煩雑となってしまう。
【０００８】
また、テープ固定柱片を可動柱片として、突起状ガイドに沿って拡開方向に移動可能に形成することにより、テープの芯に当接させて固定する方法も開示されているが、部品点数が多くなってしまい、製造コストが増加してしまう問題があった。
【０００９】
もう一つの例示である嵌合条と被嵌合条のように凹凸部を形成して互いに嵌合させる方法であれば、利用者が外れ止め部を押し込む又は引き抜くだけで外れ止め部を着脱することができテープ交換作業が簡便である。
【００１０】
しかしながら、特許文献１のテープカッターにおいては、外れ止め部を引き抜いて取外す際、ベース一側の磁石を固定面から引き離す方向に引き抜くため、誤ってテープカッターそのものが固定面から外れて脱落してしまう可能性があった。
【００１１】
また、本願考案者はこのような観点から調査を行ない、特許文献２を抽出したが、特許文献２のテープカッターは、位置調整機構部の裏面にのみに磁石が設けられているため、例えば、箱体内のテープを交換するために側板を外す際に、テープカッター自体が動いてしまい交換に手間取ってしまう可能性があった。
【特許文献１】公開実用新案第平０４−００７５６０号公報
【特許文献２】公開実用新案第平０５−０５１８５１号公報
【考案の開示】
【考案が解決しようとする課題】
【００１２】
そこで、本考案は、このような従来の要請に基づくものであって、金属製固定面等に磁力固定した状態で簡便にテープを交換することができ、テープの交換の際にテープカッターが磁力固定面から外れて脱落したり磁力固定面上で動いてしまうことがなく、且つ、低コストに製造することができるテープカッターを提供することを課題とする。
【課題を解決するための手段】
【００１３】
前記課題を解決するために、請求項１記載のテープカッターにあっては、芯部に捲装され全体リング状に形成された粘着テープ体を回転可能に保持する粘着テープ体保持部と、前記粘着テープ体保持部に連設されて、粘着テープ体から引き出された粘着テープを適宜の長さ寸法に切断しうる切断部と、前記粘着テープ体保持部の裏面部に設けられた磁石部とを備えたテープカッターであって、前記粘着テープ体保持部は全体略横長直方体状に形成され、前記粘着テープ体の回転軸方向に外部に開放されて形成され、粘着テープ体を回転可能に収納しうる収納空隙部と、前記収納空隙部内に配置され前記粘着テープ体の前記芯部に着脱可能に挿通される軸部とを有する粘着テープ体保持部本体と、前記収納空隙部及び前記軸部先端部を前記粘着テープ体保持部本体の長さ方向に沿ってスライド可能に被覆しうるカバー部材とを備えていることを特徴とする。
【００１４】
従って、請求項１記載のテープカッターにあっては、粘着テープ体保持部は全体略横長直方体状に形成され、粘着テープ体の回転軸方向に外部に開放されて形成され、粘着テープ体を回転可能に収納しうる収納空隙部と、収納空隙部内に配置され粘着テープ体の芯部に着脱可能に挿通される軸部とを有する粘着テープ体保持部本体と、空隙部及び軸部先端部を前記粘着テープ体保持部本体の長さ方向に沿ってスライド可能に被覆しうるカバー部材とを備えていることから、金属製固定面等に磁力固定した状態においてテープを交換する際には、カバー部材を磁力固定面上において粘着テープ体保持部本体の長さ方向に沿ってスライドさせて空隙部及び軸部先端部の被覆状態を解除してテープを取り外し、反対操作により新たなテープを設置する。
【００１５】
請求項２記載のテープカッターにあっては、前記磁石部は、前記粘着テープ体保持部の裏面部に長さ方向に沿って設けられており、前記粘着テープ体保持部は、前記粘着テープ体保持部の長さ方向一端部側には前記収納空隙部が設けられると共に他端部側には前記切断部が設けられ、前記収納空隙部の幅方向一端部は側面部により閉塞されると共に前記収納空隙部の幅方向他端部は開放されて形成され、前記軸部は前記側面部から前記収納空隙部の幅方向他端部側へ突設されて設けられており、前記カバー部材は、前記粘着テープ体を前記収納空隙部内に、前記軸部に挿通して収納した場合には、幅方向他端部を閉塞するように前記粘着テープ体保持部本体に着脱可能に固定されることを特徴とする。
【００１６】
従って、請求項２記載のテープカッターにあっては、磁石部は、粘着テープ体保持部の裏面部に長さ方向に沿って設けられており、粘着テープ体保持部の長さ方向に働く力に対しては全ての磁石部の磁力固定による動作抵抗力が作用するため、テープカッターは粘着テープ体保持部の長さ方向には動きにくい。
【００１７】
また、粘着テープ体保持部は、粘着テープ体保持部の長さ方向一端部側には収納空隙部が設けられると共に他端部側には切断部が設けられていることから、テープを使用する際には、テープは長さ方向に沿って引き出され切断される。
【００１８】
収納空隙部の幅方向一端部は側面部により閉塞されると共に収納空隙部の幅方向他端部は開放されて形成され、軸部は側面部から収納空隙部の幅方向他端部側へ突設されて設けられているため、粘着テープ体は幅方向他端部側より軸部に通して装着され、カバー部材により幅方向他端部側が閉塞されることにより、軸部に通して装着された状態で側面部とカバー部材とにより幅方向両端部を被覆される。
【００１９】
請求項３記載のテープカッターにあっては、前記軸部の外径寸法は前記粘着テープ体の芯部の内径寸法よりも小さく形成されていることを特徴とする。
【００２０】
従って、請求項３記載のテープカッターにあっては、軸部の外径寸法は粘着テープ体の芯部の内径寸法よりも小さく形成されていることから、粘着テープ体と軸部との間には径の差による間隙が形成され、粘着テープ体が回転しやすい。
【００２１】
請求項４記載のテープカッターにあっては、前記カバー部材は平面略Ｕ字状に形成され、前記粘着テープ体保持部本体の長さ方向における反切断部側端部側から前記粘着テープ体保持部本体の長さ方向に沿って装着固定されることを特徴とする。
【００２２】
請求項５記載のテープカッターにあっては、前記カバー部材は前記粘着テープ体保持部本体の反切断部側端部に当接して被覆する幅方向カバー部と、前記幅方向カバー部の両端部から延設されて前記側面部と前記収納空隙部の幅方向他端部及び前記軸部の先端部を夫々被覆しうる一対の長さ方向カバー部とにより構成されていることを特徴とする
【００２３】
請求項６記載のテープカッターにあっては、前記粘着テープ体保持部本体の長さ方向側面部には、前記長さ方向側面部から外方に向って突出し前記粘着テープ体保持部本体の長さ方向に沿って直線状に形成されたスライド突起部が設けられており、前記長さ方向カバー部には、前記スライド突起部と係合するスライド溝部が設けられていることを特徴とする。
【００２４】
従って、請求項６記載のテープカッターにあっては、粘着テープ体保持部本体の長さ方向側面部に設けられたスライド突起部と、長さ方向カバー部に設けられたスライド溝部とが互いに係合しながら長さ方向に沿ってスライドする。
【考案の効果】
【００２５】
請求項１記載のテープカッターにあっては、金属製固定面等に磁力固定した状態においてテープを交換する際には、カバー部材を磁力固定面上において粘着テープ体保持部の長さ方向に沿ってスライドさせて収納空隙部及び軸部先端部の被覆状態を解除してテープを取り外し、反対操作により新たなテープを設置することができることから、冷蔵庫ドア等の金属製固定面等に磁力固定した状態でカバー部材をスライドさせて簡便にテープを交換することができる。
【００２６】
また、カバー部材は接地面積の大きい粘着テープ体保持部の長さ方向に沿ってスライドさせることから、安定に操作することができ、テープの交換の際にテープカッターが磁力固定面から外れて脱落したり磁力固定面上で動いてしまうことがない。また、粘着テープ体保持部本体とカバー部材により粘着テープ体を保持するため、部品点数が少なくて済み低コストに製造することができる。
【００２７】
収納空隙部及び軸部先端部を前記粘着テープ体保持部本体の長さ方向に沿ってスライド可能に被覆しうるカバー部材を備えていることから、カバー部材により被覆された際には、いずれの方向にも粘着テープ体が脱落することはないため、平面や壁面等の金属製固定面等に対して利用者の好みの方向及び角度で磁力固定して使用することができ便利である。
【００２８】
請求項２記載のテープカッターにあっては、粘着テープ体保持部の長さ方向には特に動きにくいことから、より安定に操作することができ、テープの交換の際にテープカッターが磁力固定面上で動いてしまうことがなく交換に際しての煩わしさがない。また、テープを使用する際にもテープカッターが動いてしまうことなくテープを引き出すことができる。
【００２９】
請求項３記載のテープカッターにあっては、粘着テープ体が回転しやすいため、利用の際のテープの引き出しを小さい力で行うことができるため操作が容易である。また、回転の抵抗が小さいことから、テープを引き出す際に、テープカッターが動いてしまうことを抑制することができる。
【００３０】
請求項４及び５記載のテープカッターにあっては、カバー部材を着脱させる際には、利用者は手でカバー部材を把持して粘着テープ体保持部本体の長さ方向に沿ってスライドさせるだけでよい。
【００３１】
請求項５記載のテープカッターは、カバー部材を取り付ける際には幅方向カバー部を粘着テープ体保持部本体の反切断部側端部に当接するまでスライドさせればよいため、操作が簡便である。
【００３２】
請求項６記載のテープカッターにあっては、粘着テープ体保持部本体の長さ方向側面部に設けられたスライド突起部と、長さ方向カバー部に設けられたスライド溝部とが互いに係合しながら長さ方向に沿ってスライドすることから、滑らかにスライドするため、滑動抵抗によりカバー部材を外す際にテープカッターが磁力固定面上で動いてしまうことがない。
【図面の簡単な説明】
【００３３】
【図１】図１は、本考案に係るテープカッターの一実施の形態を示し、カバー部材が取り外され、粘着テープ体を装着する状態を示した斜視図である。
【図２】図２は、本考案に係るテープカッターの一実施の形態を示し、カバー部材を装着すると共に、切断部台部にキャップを装着した状態を示した斜視図である。
【図３】図３は、本考案に係るテープカッターの一実施の形態を示す分解斜視図である。
【図４】図４は、本考案に係るテープカッターの一実施の形態を示し、（ａ）は使用状態、（ｂ）はカバー部材を取外した状態、（ｃ）は粘着テープ体を取り出した状態を其々示しており、粘着テープ体を交換する際の手順を示した斜視図である。
【考案を実施するための最良の形態】
【００３４】
以下、本考案に係るテープカッターを実施の形態に基づき、図面を参照して詳細に説明する。
【００３５】
図１及び図３に示すように、本実施の形態に係るテープカッター１０は、芯部１１に捲装され全体リング状に形成された粘着テープ体１２を回転可能に保持する粘着テープ体保持部１３と、粘着テープ体保持部１３に連設されて、粘着テープ体１２から引き出された粘着テープを適宜の長さ寸法に切断しうる切断部１４と、粘着テープ体保持部１３の裏面部１５に設けられた磁石部１６とを備えている。
【００３６】
図１に示すように、粘着テープ体保持部１３は全体略横長直方体状に形成され、粘着テープ体１２の回転軸方向に外部に開放されて形成され、粘着テープ体１２を回転可能に収納しうる収納空隙部１７と、収納空隙部１７内に配置され粘着テープ体１２の芯部１１に着脱可能に挿通される軸部１８とを有する粘着テープ体保持部本体１９と、収納空隙部１７及び軸部１８の先端部２０を長さ方向に沿ってスライド可能に被覆しうるカバー部材２１とを備えている。
【００３７】
図３に示すように、本実施の形態においては、粘着テープ体保持部本体１９と切断部１４は合成樹脂により互いに一体に中空状に型成形されており、裏面部１５は、別体に形成され磁石部１６の厚さ寸法と略同一の深さ寸法を備え磁石部１６が嵌りこむ凹部が形成された裏面部板部３６により構成されている。
【００３８】
図３に示すように、磁石部１６は、平面四角形状の板状のフェライト磁石であり、粘着テープ体保持部１３の裏面部１５を構成する裏面部板部３６に長さ方向に沿って３つ設けられている。各磁石部１６，１６，１６は、夫々平面視中央をネジ３７により裏面部板部３６を介して粘着テープ体保持部本体１９及び切断部１４に固定されている。
【００３９】
図１及び図３に示すように、粘着テープ体保持部１３は、粘着テープ体保持部１３の長さ方向一端部２２側には収納空隙部１７が設けられると共に長さ方向他端部２３側には切断部１４が設けられている。
【００４０】
本実施の形態においては、切断部１４は、粘着テープ体保持部１３よりも上方に突出した切断部台部２６を備え、切断部台部２６には板状の切断刃２７が切断部台部２６の幅方向に沿って形成された溝（図示せず）に嵌入固定されている。さらに本実施の形態にあっては、図２に示すように、切断部台部２６の切断刃２７を着脱可能に被覆しうるキャップ４０を備えている。
【００４１】
図１に示すように、収納空隙部１７の幅方向一端部２４は側面部２５により閉塞されると共に収納空隙部１７の幅方向他端部２８は開放されて形成されている。軸部１８は側面部２５から収納空隙部１７の幅方向他端部２８側へ突設されて設けられており、断面半円形の筒状に形成され、軸部１８の外径寸法は粘着テープ体１２の芯部１１の内径寸法よりも小さく形成されている。
【００４２】
図１に示すように、軸部１８の長さ寸法は、粘着テープ体１２の幅寸法よりもやや大きいと共に、粘着テープ体保持部１３の幅寸法と略同一に形成されている。カバー部材２１は、粘着テープ体１２を収納空隙部１７内に、軸部１８に挿通して収納した場合には、幅方向他端部２８を閉塞するように粘着テープ体保持部本体１９に着脱可能に固定される。
【００４３】
図１に示すように、本実施の形態においては、カバー部材２１は平面略Ｕ字状に形成され、粘着テープ体保持部本体１９の長さ方向における反切断部側端部２９側から粘着テープ体保持部本体１９の長さ方向に沿って装着固定されるように構成されている。
【００４４】
図２に示すように、カバー部材２１は粘着テープ体保持部本体１９の反切断部側端部２９に当接して被覆する幅方向カバー部３０と、幅方向カバー部３０の両端部３１，３１から直交して延設されて側面部２５と収納空隙部１７の幅方向他端部２８及び軸部１８の先端部２０を夫々被覆しうる一対の長さ方向カバー部３２，３２とにより構成されている。本実施の形態においては、図１に示すように、カバー部材２１の高さ寸法Ｌは、粘着テープ体保持部本体１９の高さ寸法Ｌ１と同一に形成されている。
【００４５】
また、長さ方向カバー部３２，３２の間隔寸法Ｌ２は、粘着テープ体保持部本体１９の幅寸法Ｌ３と同一に形成されている。その結果、カバー部材２１を粘着テープ体保持部本体１９に装着した場合には、図２に示すように、カバー部材２１は粘着テープ体保持部本体１９と一体となり、収納空隙部１７及び軸部１８を被覆する。
【００４６】
図１に示すように、粘着テープ体保持部本体１９の長さ方向側面部３３，３３には、長さ方向側面部３３，３３から外方に向って突出し粘着テープ体保持部本体１９の長さ方向に沿って直線状に形成されたスライド突起部３４，３４が設けられており、長さ方向カバー部３２，３２には、スライド突起部３４，３４と係合するスライド溝部３５，３５が設けられている。
【００４７】
スライド突起部３４，３４の反切断部側端部２９側には、略半円形状の係合凹部３８，３８が其々形成されており、スライド溝部３５，３５のカバー部材２１が反切断部側端部２９に当接した状態において係合凹部３８に隣接する箇所には、係合凹部３８に係合する略半円形状の係止凸部３９，３９が其々形成されている。
【００４８】
以下、本実施の形態に係るテープカッターの作用について、図面を参照して詳細に説明する。
【００４９】
本実施の形態に係るテープカッター１０は、以上のような構成を備えていることから、裏面部１５の磁石部１６により冷蔵庫ドア等の金属面に対して磁力により固定される。
【００５０】
図１に示すように、粘着テープ体１２を装着する際には、金属面に磁力固定された状態において、カバー部材２１の長さ方向カバー部３２，３２を側面より手で把持して、反切断部方向へ力を加えて引くことにより、係合凹部３８と係止凸部３９の係合が解除される。
【００５１】
次に、図１の矢印方向に示すように、カバー部材２１を引き抜くことにより、カバー部材２１は、スライド突起部３４，３４とスライド溝部３５，３５が互いに係合状態を維持しながら長さ方向に沿ってスライドされ粘着テープ体保持部本体１９から取り外され、収納空隙部１７及び軸部１８の先端部２０の被覆状態が解除される。
【００５２】
このとき、図３に示すように、カバー部材２１は、粘着テープ体保持部本体１９の長さ方向に沿ってスライドすることとなり、このカバー部材２１のスライド方向は、磁石部１６，１６，１６が配列されている方向と同一方向となる。
【００５３】
従って、カバー部材２１のスライド方向に働く力に対しては全ての磁石部１６，１６，１６の磁力固定による動作抵抗力が作用するため、カバー部材２１をスライドさせる際にテープカッター１０が動いてしまうことがない。尚、本実施の形態においては、テープを引き出す方向も同様であるため、テープの引き出し作業によってもテープカッター１０が動いてしまうことがない。
【００５４】
次に、被覆状態が解除された幅方向他端部２８側から粘着テープ体１２を芯部１１に軸部１８が挿通されるように装着する。この状態において、カバー部材２１のスライド溝部３５，３５をスライド突起部３４，３４に合せて互いに係合させながら、粘着テープ体保持部本体１９の長さ方向に沿って切断部１４側にカバー部材２１が反切断部側端部２９に当接するまでスライドさせる。このとき係合凹部３８と係止凸部３９は互いに係合するため、カバー部材２１が不意に外れることがない。
【００５５】
この状態でテープカッター１０を使用する場合には、図４（ａ）に示すように、粘着テープ体１２のテープを捲装末端部より粘着テープ体１２を回転させながら剥離させて、切断部１４に粘着固定する。テープを使用する際には、切断部１４に粘着固定されたテープを剥離させて使用する長さ寸法分引き出し、切断刃２７にて切断する。
【００５６】
以上のように粘着テープ体１２が装着された状態においては、粘着テープ体１２の芯部１１は軸部１８に挿通され、軸部１８の軸方向においては、幅方向一端部２４は側面部２５により、幅方向他端部２８はカバー部材２１の長さ方向カバー部３２により、其々動作が規制され回転動作する。
【００５７】
従って、粘着テープ体１２を装着した状態で、裏面部１５の磁石部１６によりテープカッター１０を例えば冷蔵庫のドア等に磁力固定する際に、テープカッター１０をどのような向きや角度で磁力固定させた場合であっても、粘着テープ体１２の回転動作によっても、粘着テープ体保持部１３から脱落することはない。
【００５８】
粘着テープ体１２を交換する際にも同様に、図４（ａ）に示すように、金属製固定面等に磁力固定された状態において、図４（ｂ）に示すように、カバー部材２１をスライドさせて取り外し、図４（ｃ）に示すように、幅方向他端部２８側より粘着テープ体１２を取り出す。続いて新しい粘着テープ体を前記手順とは逆の手順で装着すればよい。
【００５９】
以上のように、本実施の形態に係るテープカッター１０は、冷蔵庫ドア等の金属製固定面等に磁力固定した状態において片手でカバー部材２１を把持してスライドさせ、もう片方の手で粘着テープ体１２を取り出すことができ、新たな粘着テープ体に持ち替えて装着すればよく簡便にテープを交換することができる。
【００６０】
さらに、図２に示すように、使用後にキャップ４０を取り付けて切断刃２７を被覆すれば、台所のように狭い場所で使用した場合であっても、切断刃２７によって怪我をすることもなく安全に使用することができる。
【００６１】
本実施の形態においては、カバー部材２１はスライド突起部３４とスライド溝部３５が互いに係合しながらスライドされる例を説明したが、これに限定されず、粘着テープ体保持部本体１９の長さ方向に沿ってスライドさせるものであれば良い。
【産業上の利用可能性】
【００６２】
本考案に係るテープカッターは、例えば家庭や学校、オフィス等で広く利用されるものであり産業上の利用可能性を有している。
【符号の説明】
【００６３】
１０    テープカッター
１１    芯部
１２    粘着テープ体
１３    粘着テープ体保持部
１４    切断部
１５    裏面部
１６    磁石部
１７    収納空隙部
１８    軸部
１９    粘着テープ体保持部本体
２０    先端部
２１    カバー部材
２２    長さ方向一端部
２３    長さ方向他端部
２４    幅方向一端部
２５    側面部
２６    切断部台部
２７    切断刃
２８    幅方向他端部
２９    反切断部側端部
３０    幅方向カバー部
３１    両端部
３２    長さ方向カバー部
３３    長さ方向側面部
３４    スライド突起部
３５    スライド溝部
３６    裏面部板部
３７    ネジ
３８    係合凹部
３９    係止凸部
４０    キャップ
【図１】
0003201076.tif 000003
【図２】
0003201076.tif 000004
【図３】
0003201076.tif 000005
【図４】
0003201076.tif 000006